【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
ワイヤレス通信におけるビームを管理するための方法であって、
ビーム管理イベントのためのトリガ条件の出現を決定する際に測定するべき少なくとも１つのビームのタイプを示すビーム管理イベント構成を受信することと、
１つまたは複数のノードから受信された信号のパラメータを測定することと、ここにおいて、前記信号は、前記少なくとも１つのビームの前記タイプに対応する、
前記信号の前記パラメータに基づいて、前記ビーム管理イベントのための前記トリガ条件の前記出現を決定することと、
前記１つまたは複数のノードあるいは異なるノードに、前記トリガ条件の前記出現の指示を報告することと、を備える方法。
【請求項２】
前記トリガ条件の前記出現の前記指示を報告したことに基づいて、前記１つまたは複数のノードあるいは前記異なるノードと通信する際に、受信されたビームを使用するためのビーム構成を受信することをさらに備える、請求項１に記載の方法。
【請求項３】
前記トリガ条件の前記出現を決定すること、または前記トリガ条件の前記出現の前記指示を報告することのうちの少なくとも１つは、媒体アクセス制御（ＭＡＣ）レイヤ中または無線リソース制御（ＲＲＣ）レイヤ中で行われる、請求項１に記載の方法。
【請求項４】
前記ビーム管理イベント構成は、前記タイプを、測定するべきチャネル状態情報基準信号（ＣＳＩ−ＲＳ）および前記ＣＳＩ−ＲＳの識別子として示す、請求項１に記載の方法。
【請求項５】
前記ビーム管理イベント構成は、前記タイプを、測定するべき新無線同期信号（ＮＲ−ＳＳ）および前記ＮＲ−ＳＳの識別子として示し、
前記方法は、前記トリガ条件の前記出現の前記指示を報告したことに基づいて、前記１つまたは複数のノードあるいは前記異なるノードと通信する際に、受信されたビームを使用するためのビーム構成を受信することをさらに備え、前記受信されたビームは、チャネル状態情報基準信号（ＣＳＩ−ＲＳ）に対応する、請求項１に記載の方法。
【請求項６】
前記ビーム管理イベント構成は、チャネル状態情報基準信号（ＣＳＩ−ＲＳ）として測定するべき第１のビームのタイプと、新無線同期信号（ＮＲ−ＳＳ）として測定するべき第２のビームの第２のタイプと、前記ＣＳＩ−ＲＳの識別子と、前記ＮＲ−ＳＳの識別子とを示す、請求項１に記載の方法。
【請求項７】
前記ビーム管理イベント構成は、２つ以上のチャネル状態情報基準信号（ＣＳＩ−ＲＳ）および／または新無線同期信号（ＮＲ−ＳＳ）を備えるビームのグループとしての前記タイプと、前記ビームのグループの識別子とを示し、前記方法は、前記２つ以上のＣＳＩ−ＲＳおよび／またはＮＲ−ＳＳの識別子を決定することをさらに備え、前記信号の前記パラメータを測定することは、前記２つ以上のＣＳＩ−ＲＳおよび／またはＮＲ−ＳＳの前記識別子に対応する複数の信号のパラメータを測定することを備える、請求項１に記載の方法。
【請求項８】
前記ビームの前記パラメータを測定することは、
前記複数のビームの前記パラメータの平均を決定すること、または、
前記複数のビームの前記パラメータの最大を決定すること、
を備える、請求項７に記載の方法。
【請求項９】
前記ビーム管理イベント構成は、基準信号受信電力（ＲＳＲＰ）、基準信号受信品質（ＲＳＲＱ）、または信号対干渉雑音比（ＳＩＮＲ）のうちの少なくとも１つに対応する前記パラメータのタイプを示し、
前記信号の前記パラメータを測定することは、物理レイヤフィルタリング技法に基づいて、または無線リソース制御レイヤフィルタリング技法に基づいて実施される、請求項１に記載の方法。
【請求項１０】
前記ビーム管理イベント構成は、前記トリガ条件について、前記指示を報告する前に前記トリガ条件が起こる時間を示す、請求項１に記載の方法。
【請求項１１】
前記トリガ条件の前記出現を決定することは、前記パラメータを閾値と比較すること、および／または、
前記パラメータと、基準として使われるべき異なる信号の類似のパラメータとの間のオフセットを比較して、前記オフセットが閾値に達するかどうかを決定すること、
を備え、前記ビーム管理イベント構成は前記異なる信号を示す、請求項１に記載の方法。
【請求項１２】
前記指示を報告することは、
前記指示を、アップリンク制御情報またはアップリンクデータとして共有データチャネルを介して送信すること、または、
前記指示を、アップリンク制御情報としてアップリンク制御チャネルを介して送信すること、
を備える、請求項１に記載の方法。
【請求項１３】
ワイヤレス通信におけるビームを管理するための方法であって、
ビーム管理イベントのためのトリガ条件の出現を決定する際に測定するべき少なくとも１つのビームのタイプを示すビーム管理イベント構成を生成することと、
前記ビーム管理イベント構成を１つまたは複数のノードへ送信することと、
前記１つまたは複数のノードから、前記トリガ条件の指示を受信することと、
前記１つまたは複数のノードのために、および前記トリガ条件の前記指示を受信したことに基づいて、送信されたチャネルを推定する際に１つまたは複数の送信されたビームを使用するためのビーム構成を生成することと、
前記ビーム構成を前記１つまたは複数のノードへ送信することと、を備える方法。
【請求項１４】
ワイヤレス通信におけるビームを管理するための装置であって、
ビーム管理イベントのためのトリガ条件の出現を決定する際に測定するべき少なくとも１つのビームのタイプを示すビーム管理イベント構成を受信するための手段と、
１つまたは複数のノードから受信された信号のパラメータを測定するための手段と、ここにおいて、前記信号は、前記少なくとも１つのビームの前記タイプに対応する、
前記信号の前記パラメータに基づいて、前記ビーム管理イベントのための前記トリガ条件の前記出現を決定するための手段と、
前記１つまたは複数のノードあるいは異なるノードに、前記トリガ条件の前記出現の指示を報告するための手段と、を備える装置。
【請求項１５】
ワイヤレス通信におけるビームを管理するための装置であって、
ビーム管理イベントのためのトリガ条件の出現を決定する際に測定するべき少なくとも１つのビームのタイプを示すビーム管理イベント構成を生成するための手段と、
前記ビーム管理イベント構成を１つまたは複数のノードへ送信するための手段と、
前記１つまたは複数のノードから、前記トリガ条件の指示を受信するための手段と、
前記１つまたは複数のノードのために、および前記トリガ条件の前記指示を受信したことに基づいて、送信されたチャネルを推定する際に、１つまたは複数の送信されたビームを使用するためのビーム構成を生成するための手段と、
前記ビーム構成を前記１つまたは複数のノードへ送信するための手段と、を備える装置。
【手続補正２】
【補正対象書類名】明細書
【補正対象項目名】００８９
【補正方法】変更
【補正の内容】
【００８９】
[0092]本開示についての以上の説明は、当業者が本開示を作成または使用することができるように与えられる。本開示への様々な修正は当業者には容易に明らかになり、本明細書で定義された共通原理は、本開示の趣旨または範囲から逸脱することなく、他の変形形態に適用されてよい。さらに、説明する態様および／または実施形態の要素は、単数形で説明または特許請求されている場合があるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用されてよい。したがって、本開示は、本明細書に記載された例および設計に限定されるべきでなく、本明細書で開示された原理および新規の特徴に合致する最も広い範囲を与えられるべきである。
以下に、本願の出願当初の特許請求の範囲に記載された発明を付記する。
［Ｃ１］
ワイヤレス通信におけるビームを管理するための方法であって、
ビーム管理イベントのためのトリガ条件の出現を決定する際に測定するべき少なくとも１つのビームのタイプを示すビーム管理イベント構成を受信することと、
１つまたは複数のノードから受信された信号のパラメータを測定することと、ここにおいて、前記信号は、前記少なくとも１つのビームの前記タイプに対応する、
前記信号の前記パラメータに基づいて、前記ビーム管理イベントのための前記トリガ条件の前記出現を決定することと、
前記１つまたは複数のノードあるいは異なるノードに、前記トリガ条件の前記出現の指示を報告することとを備える方法。
［Ｃ２］
前記トリガ条件の前記出現の前記指示を報告したことに基づいて、前記１つもしくは複数のノードあるいは前記異なるノードと通信する際に、受信されたビームを使用するためのビーム構成を受信することをさらに備える、Ｃ１に記載の方法。
［Ｃ３］
前記トリガ条件の前記出現を決定すること、または前記トリガ条件の前記出現の前記指示を報告することのうちの少なくとも１つは、媒体アクセス制御（ＭＡＣ）レイヤ中で行われる、Ｃ１に記載の方法。
［Ｃ４］
前記トリガ条件の前記出現を決定すること、または前記トリガ条件の前記出現の前記指示を報告することのうちの少なくとも１つは、無線リソース制御（ＲＲＣ）レイヤ中で行われる、Ｃ１に記載の方法。
［Ｃ５］
前記ビーム管理イベント構成は、前記タイプを、測定するべきチャネル状態情報基準信号（ＣＳＩ−ＲＳ）および前記ＣＳＩ−ＲＳの識別子として示す、Ｃ１に記載の方法。
［Ｃ６］
前記ビーム管理イベント構成は、前記タイプを、測定するべき新無線同期信号（ＮＲ−ＳＳ）および前記ＮＲ−ＳＳの識別子として示す、Ｃ１に記載の方法。
［Ｃ７］
前記トリガ条件の前記出現の前記指示を報告したことに基づいて、前記１つもしくは複数のノードあるいは前記異なるノードと通信する際に、受信されたビームを使用するためのビーム構成を受信することをさらに備え、前記受信されたビームは、チャネル状態情報基準信号（ＣＳＩ−ＲＳ）に対応する、Ｃ６に記載の方法。
［Ｃ８］
前記ビーム管理イベント構成は、チャネル状態情報基準信号（ＣＳＩ−ＲＳ）として測定するべき第１のビームのタイプと、新無線同期信号（ＮＲ−ＳＳ）として測定するべき第２のビームの第２のタイプと、前記ＣＳＩ−ＲＳの識別子と、前記ＮＲ−ＳＳの識別子とを示す、Ｃ１に記載の方法。
［Ｃ９］
前記ビーム管理イベント構成は、２つ以上のチャネル状態情報基準信号（ＣＳＩ−ＲＳ）および／または新無線同期信号（ＮＲ−ＳＳ）を備えるビームのグループとしての前記タイプと、前記ビームグループの識別子とを示し、前記方法は、前記２つ以上のＣＳＩ−ＲＳおよび／またはＮＲ−ＳＳの識別子を決定することをさらに備え、前記信号の前記パラメータを測定することは、前記２つ以上のＣＳＩ−ＲＳおよび／またはＮＲ−ＳＳの前記識別子に対応する複数の信号のパラメータを測定することを備える、Ｃ１に記載の方法。
［Ｃ１０］
前記ビームの前記パラメータを測定することは、前記複数のビームの前記パラメータの平均を決定することを備える、Ｃ９に記載の方法。
［Ｃ１１］
前記ビームの前記パラメータを測定することは、前記複数のビームの前記パラメータの最大を決定することを備える、Ｃ９に記載の方法。
［Ｃ１２］
前記ビーム管理イベント構成は、基準信号受信電力（ＲＳＲＰ）、基準信号受信品質（ＲＳＲＱ）、または信号対干渉雑音比（ＳＩＮＲ）のうちの少なくとも１つに対応する前記パラメータのタイプを示す、Ｃ１に記載の方法。
［Ｃ１３］
前記信号の前記パラメータを測定することは、物理レイヤフィルタリング技法に基づいて実施される、Ｃ１２に記載の方法。
［Ｃ１４］
前記信号の前記パラメータを測定することは、無線リソース制御レイヤフィルタリング技法に基づいて実施される、Ｃ１２に記載の方法。
［Ｃ１５］
前記ビーム管理イベント構成は、前記トリガ条件について、前記指示を報告する前に前記トリガ条件が起こる時間を示す、Ｃ１に記載の方法。
［Ｃ１６］
前記トリガ条件の前記出現を決定することは、前記パラメータを閾値と比較することを備える、Ｃ１に記載の方法。
［Ｃ１７］
前記トリガ条件の前記出現を決定することは、前記パラメータと、基準として使われるべき異なる信号の類似のパラメータとの間のオフセットを比較して、前記オフセットが閾値に達するかどうかを決定することを備え、前記ビーム管理イベント構成は前記異なる信号を示す、Ｃ１に記載の方法。
［Ｃ１８］
前記トリガ条件の前記出現を決定することは、
前記パラメータを閾値と比較することと、
前記パラメータと、基準として使われるべき異なる信号の類似のパラメータとの間のオフセットを比較して、前記オフセットが第２の閾値に達するかどうかを決定することとを備える、Ｃ１に記載の方法。
［Ｃ１９］
前記指示を報告することは、前記指示を、アップリンク制御情報またはアップリンクデータとして共有データチャネルを介して送信することを備える、Ｃ１に記載の方法。
［Ｃ２０］
前記指示を報告することは、前記指示を、アップリンク制御情報としてアップリンク制御チャネルを介して送信することを備える、Ｃ１に記載の方法。
［Ｃ２１］
ワイヤレス通信におけるビームを管理するための方法であって、
ビーム管理イベントのためのトリガ条件の出現を決定する際に測定するべき少なくとも１つのビームのタイプを示すビーム管理イベント構成を生成することと、
前記ビーム管理イベント構成を１つまたは複数のノードへ送信することと、
前記１つまたは複数のノードから、前記トリガ条件の指示を受信することと、
前記１つまたは複数のノードのために、および前記トリガ条件の前記指示を受信したことに基づいて、送信されたチャネルを推定する際に１つまたは複数の送信されたビームを使用するためのビーム構成を生成することと、
前記ビーム構成を前記１つまたは複数のノードへ送信することとを備える方法。
［Ｃ２２］
前記ビーム管理イベント構成は、前記タイプを、測定するべきチャネル状態情報基準信号（ＣＳＩ−ＲＳ）および前記ＣＳＩ−ＲＳの識別子として示す、Ｃ２１に記載の方法。
［Ｃ２３］
前記ビーム管理イベント構成は、前記タイプを、測定するべき新無線同期信号（ＮＲ−ＳＳ）および前記ＮＲ−ＳＳの識別子として示す、Ｃ２１に記載の方法。
［Ｃ２４］
前記ビーム構成はチャネル状態情報基準信号（ＣＳＩ−ＲＳ）に対応する、Ｃ２３に記載の方法。
［Ｃ２５］
前記ビーム管理イベント構成は、チャネル状態情報基準信号（ＣＳＩ−ＲＳ）として測定するべき第１のビームのタイプと、新無線同期信号（ＮＲ−ＳＳ）として測定するべき第２のビームの第２のタイプと、前記ＣＳＩ−ＲＳの識別子と、前記ＮＲ−ＳＳの識別子とを示す、Ｃ２１に記載の方法。
［Ｃ２６］
前記ビーム管理イベント構成は、前記タイプを、２つ以上のチャネル状態情報基準信号（ＣＳＩ−ＲＳ）および／または新無線同期信号（ＮＲ−ＳＳ）を備えるビームのグループ、ならびに前記ビームグループの識別子として示す、Ｃ２１に記載の方法。
［Ｃ２７］
前記ビーム管理イベント構成は、基準信号受信電力（ＲＳＲＰ）、基準信号受信品質（ＲＳＲＱ）、または信号対干渉雑音比（ＳＩＮＲ）のうちの少なくとも１つに対応するパラメータのタイプを示す、Ｃ２１に記載の方法。
［Ｃ２８］
前記ビーム管理イベント構成は、前記トリガ条件について、前記１つまたは複数のノードが前記指示を報告する前に前記トリガ条件が起こる時間を示す、Ｃ２１に記載の方法。
［Ｃ２９］
前記指示を受信することは、共有データチャネルを介して、アップリンク制御情報またはアップリンクデータ中で前記指示を受信することを備える、Ｃ２１に記載の方法。
［Ｃ３０］
前記指示を受信することは、アップリンク制御チャネルを介して、アップリンク制御情報として前記指示を受信することを備える、Ｃ２１に記載の方法。
［Ｃ３１］
ワイヤレス通信におけるビームを管理するための装置であって、
１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサとを備え、前記１つまたは複数のプロセッサは、
ビーム管理イベントのためのトリガ条件の出現を決定する際に測定するべき少なくとも１つのビームのタイプを示すビーム管理イベント構成を受信することと、
１つまたは複数のノードから受信された信号のパラメータを測定することと、ここにおいて、前記信号は、前記少なくとも１つのビームの前記タイプに対応する、
前記信号の前記パラメータに基づいて、前記ビーム管理イベントのための前記トリガ条件の前記出現を決定することと、
前記１つまたは複数のノードあるいは異なるノードに、前記トリガ条件の前記出現の指示を報告することとを行うように構成される、装置。
［Ｃ３２］
前記１つまたは複数のプロセッサは、前記トリガ条件の前記出現の前記指示を報告したことに基づいて、前記１つもしくは複数のノードあるいは前記異なるノードと通信する際に、受信された信号を使用するためのビーム構成を受信するようにさらに構成される、Ｃ３１に記載の装置。
［Ｃ３３］
前記ビーム管理イベント構成は、前記タイプを、測定するべきチャネル状態情報基準信号（ＣＳＩ−ＲＳ）および前記ＣＳＩ−ＲＳの識別子として示す、Ｃ３１に記載の装置。
［Ｃ３４］
前記ビーム管理イベント構成は、前記タイプを、測定するべき新無線同期信号（ＮＲ−ＳＳ）および前記ＮＲ−ＳＳの識別子として示す、Ｃ３１に記載の装置。
［Ｃ３５］
前記ビーム管理イベント構成は、チャネル状態情報基準信号（ＣＳＩ−ＲＳ）として測定するべき第１のビームのタイプと、新無線同期信号（ＮＲ−ＳＳ）として測定するべき第２のビームの第２のタイプと、前記ＣＳＩ−ＲＳの識別子と、前記ＮＲ−ＳＳの識別子とを示す、Ｃ３１に記載の装置。
［Ｃ３６］
ワイヤレス通信におけるビームを管理するための装置であって、
１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサとを備え、前記１つまたは複数のプロセッサは、
ビーム管理イベントのためのトリガ条件の出現を決定する際に測定するべき少なくとも１つのビームのタイプを示すビーム管理イベント構成を生成することと、
前記ビーム管理イベント構成を１つまたは複数のノードへ送信することと、
前記１つまたは複数のノードから、前記トリガ条件の指示を受信することと、
前記１つまたは複数のノードのために、および前記トリガ条件の前記指示を受信したことに基づいて、送信されたチャネルを推定する際に１つまたは複数の送信されたビームを使用するためのビーム構成を生成することと、
前記ビーム構成を前記１つまたは複数のノードへ送信することとを行うように構成される、装置。
［Ｃ３７］
前記ビーム管理イベント構成は、測定するべきチャネル状態情報基準信号（ＣＳＩ−ＲＳ）および前記ＣＳＩ−ＲＳの識別子として、または測定するべき新無線同期信号（ＮＲ−ＳＳ）および前記ＮＲ−ＳＳの識別子として、前記タイプを示す、Ｃ３６に記載の装置。
［Ｃ３８］
前記ビーム管理イベント構成は、前記タイプを、測定するべきチャネル状態情報基準信号（ＣＳＩ−ＲＳ）および前記ＣＳＩ−ＲＳの識別子として示す、Ｃ３６に記載の装置。
［Ｃ３９］
前記ビーム管理イベント構成は、前記タイプを、測定するべき新無線同期信号（ＮＲ−ＳＳ）および前記ＮＲ−ＳＳの識別子として示す、Ｃ３６に記載の装置。
［Ｃ４０］
ワイヤレス通信におけるビームを管理するための装置であって、
ビーム管理イベントのためのトリガ条件の出現を決定する際に測定するべき少なくとも１つのビームのタイプを示すビーム管理イベント構成を受信するための手段と、
１つまたは複数のノードから受信された信号のパラメータを測定するための手段と、ここにおいて、前記信号は、前記少なくとも１つのビームの前記タイプに対応する、
前記信号の前記パラメータに基づいて、前記ビーム管理イベントのための前記トリガ条件の前記出現を決定するための手段と、
前記１つまたは複数のノードあるいは異なるノードに、前記トリガ条件の前記出現の指示を報告するための手段とを備える装置。
［Ｃ４１］
前記トリガ条件の前記出現の前記指示を報告したことに基づいて、前記１つもしくは複数のノードあるいは前記異なるノードと通信する際に、受信された信号を使用するためのビーム構成を受信するための手段をさらに備える、Ｃ４０に記載の装置。
［Ｃ４２］
ワイヤレス通信におけるビームを管理するための装置であって、
ビーム管理イベントのためのトリガ条件の出現を決定する際に測定するべき少なくとも１つのビームのタイプを示すビーム管理イベント構成を生成するための手段と、
前記ビーム管理イベント構成を１つまたは複数のノードへ送信するための手段と、
前記１つまたは複数のノードから、前記トリガ条件の指示を受信するための手段と、  前記１つまたは複数のノードのために、および前記トリガ条件の前記指示を受信したことに基づいて、送信されたチャネルを推定する際に、１つまたは複数の送信されたビームを使用するためのビーム構成を生成するための手段と、
前記ビーム構成を前記１つまたは複数のノードへ送信するための手段とを備える装置。
［Ｃ４３］
前記ビーム管理イベント構成は、測定するべきチャネル状態情報基準信号（ＣＳＩ−ＲＳ）および前記ＣＳＩ−ＲＳの識別子として、または測定するべき新無線同期信号（ＮＲ−ＳＳ）および前記ＮＲ−ＳＳの識別子として、前記タイプを示す、Ｃ４２に記載の装置。
［Ｃ４４］
ワイヤレス通信におけるビームを管理するためのコンピュータ実行可能コードを備えるコンピュータ可読記憶媒体であって、前記コードは、
ビーム管理イベントのためのトリガ条件の出現を決定する際に測定するべき少なくとも１つのビームのタイプを示すビーム管理イベント構成を受信することと、
１つまたは複数のノードから受信された信号のパラメータを測定することと、ここにおいて、前記信号は、前記少なくとも１つのビームの前記タイプに対応する、
前記信号の前記パラメータに基づいて、前記ビーム管理イベントのための前記トリガ条件の前記出現を決定することと、
前記１つまたは複数のノードあるいは異なるノードに、前記トリガ条件の前記出現の指示を報告することとのためのコードを備える、コンピュータ可読記憶媒体。
［Ｃ４５］
前記コードは、前記トリガ条件の前記出現の前記指示を報告したことに基づいて、前記１つもしくは複数のノードあるいは前記異なるノードと通信する際に、受信されたビームを使用するためのビーム構成を受信するためのコードをさらに備える、Ｃ４４に記載のコンピュータ可読記憶媒体。
［Ｃ４６］
ワイヤレス通信におけるビームを管理するためのコンピュータ実行可能コードを備えるコンピュータ可読記憶媒体であって、前記コードは、
ビーム管理イベントのためのトリガ条件の出現を決定する際に測定するべき少なくとも１つのビームのタイプを示すビーム管理イベント構成を生成することと、
前記ビーム管理イベント構成を１つまたは複数のノードへ送信することと、
前記１つまたは複数のノードから、前記トリガ条件の指示を受信することと、
前記１つまたは複数のノードのために、および前記トリガ条件の前記指示を受信したことに基づいて、送信されたチャネルを推定する際に、１つまたは複数の送信されたビームを使用するためのビーム構成を生成することと、
前記ビーム構成を前記１つまたは複数のノードへ送信することとのためのコードを備える、コンピュータ可読記憶媒体。
［Ｃ４７］
前記ビーム管理イベント構成は、測定するべきチャネル状態情報基準信号（ＣＳＩ−ＲＳ）および前記ＣＳＩ−ＲＳの識別子として、または測定するべき新無線同期信号（ＮＲ−ＳＳ）および前記ＮＲ−ＳＳの識別子として、前記タイプを示す、Ｃ４６に記載のコンピュータ可読記憶媒体。